(57)【特許請求の範囲】
【請求項１】
パンチ成形及びプレス成形機械に対する動作に関する情報を伝達するシステムであって、
パンチ成形またはプレス成形機械と、
機械上に選択的に位置決めされて使用されるべく構成された表示デバイス(12)であって、該表示デバイスはタッチスクリーン機能性を有する一個以上のディスプレイ(24)を有し、前記一個以上のディスプレイは量的及び質的な情報を呈示すべく構成され、該量的及び質的な情報は、前記機械及びそれに対する各工具(18)に対してプログラムされた一つ以上の動作を包含する詳細及び特性を含み、該詳細及び特性は、各工具の適切な位置及びロック状況とともに、前記機械及び各工具の表現物を含むという表示デバイス(12)と、
前記表示デバイスから遠隔的に配置された操作卓(36)であって、前記量的及び質的な情報は該操作卓を介して前記表示デバイスに対して提供される、という操作卓(36)と、
を備え、
前記機械及び工具に対する前記プログラムされた一つ以上の動作は変更可能であり、該変更は、一つ以上の外部的合図を介してトリガされ、
前記外部的合図は、操作者に由来し、前記ディスプレイの内の一つ以上のディスプレイに対して為される指接触を含み、
前記パンチ成形またはプレス成形機械はプレスブレーキ(10)を備え、
前記外部的合図はさらに、前記プレスブレーキ(10)に対する作業領域の周縁部に沿う箇所に取付けられる一台以上のカメラと上側及び下側のテーブル(14)の内の一つ以上のテーブルの近傍に取付けられる一台以上の３Ｄカメラ(44)との少なくともいずれか一方に由来し、少なくとも一台のカメラに由来する前記外部的合図は、各カメラの内の少なくとも一台のカメラにより捕捉された操作者の物理的運動に由来する、システム。
【請求項２】
前記表示デバイス(12)は、前記操作卓(36)と無線通信すべく構成され、
前記量的及び質的な情報は、前記操作卓のメモリ内に記憶された機械に対するプログラムされた動作に由来する、請求項１に記載のシステム。
【請求項３】
前記操作卓(36)はディスプレイ・タブレット(22)を備え、
前記ディスプレイ・タブレットは、該タブレットが、操作者により容易に担持されること、及び、前記機械上に選択的に取付けて位置決めされること、の内の一つ以上を可能とするサイズである、請求項１に記載のシステム。
【請求項４】
前記機械及びそれのための工具に対する前記プログラムされた一つ以上の動作に関する付加的情報は、前記ディスプレイ(24)の内の一つ以上のディスプレイの画面上で為され対応指接触を介してアクセスされ得る、請求項１に記載のシステム。
【請求項５】
前記外部的合図はさらに、前記工具(18)の内の一つ以上の工具に由来する、請求項１に記載のシステム。
【請求項６】
前記外部的合図は、一つ以上の工具上に配備された電子的情報記憶デバイスに由来する、請求項５に記載のシステム。
【請求項７】
前記カメラからの外部的合図は、前記プレスブレーキの変形領域の近傍の不適切さであって、各カメラの内の少なくとも一台のカメラにより捕捉されたという不適切さに由来する、請求項１に記載のシステム。
【請求項８】
前記外部的合図は、各カメラの内の少なくとも一台のカメラにより捕捉された操作者の手の仕草に由来する、請求項１に記載のシステム。
【請求項９】
前記パンチ成形またはプレス成形機械は、プレスブレーキ(10)を備え、
前記一個以上のディスプレイ(24)は、前記プレスブレーキの上側及び下側のテーブル(14a,14b)の広がりと長さが同様である広がりを有し、
前記一個以上のディスプレイは、前記上側及び下側のテーブルのいずれかの奥行より少なくとも1/4だけ小さい奥行を有する、
請求項１に記載のシステム。
【請求項１０】
前記表示デバイス(12)は、前記プレスブレーキ(10)の上側及び下側のテーブル(14a,14b)の一方内に完全に収容され、前記プレスブレーキ(10)の上側及び下側のテーブル(14a,14b)の一方と面一に収容される、請求項９に記載のシステム。
【請求項１１】
前記パンチ成形またはプレス成形機械は、プレスブレーキ(10)を備え、
前記一個以上のディスプレイ(24)は、複数個のディスプレイを備え、
各ディスプレイは、端部同士を接した様式で結合されると共に、前記プレスブレーキの上側及び下側のテーブル(14a,14b)の広がりと長さが同様である広がりを有し、
各ディスプレイは、前記上側及び下側のテーブル上の各締着ビーム(16)の広がりであって、各ビームに対する当該各ディスプレイの位置に対応するという広がりを、集合的に呈するために、電気的に関連付けられ且つ同期され得る、
請求項１に記載のシステム。
【請求項１２】
前記一個以上のディスプレイ(24)は、タッチスクリーンの機能性を有する電子インク形式ディスプレイを含む、請求項１１に記載のシステム。
【請求項１３】
前記各ディスプレイ(24)は、前記プレスブレーキ(10)の上側及び下側の締着ビーム(16a,16b)と、それらの上に位置決めされるべき成形工具(18)とに関する情報を呈示すべく構成され、
該情報は、各ビーム及び各工具に対する量的及び質的な情報を含む、請求項１２に記載のシステム。
【請求項１４】
前記各締着ビーム(16a,16b)及び各成形工具(18)の前記質的情報は、各々の対応表現物及び締着状況の一つ以上の情報を含み、前記各成形工具の質的情報は、部品番号及び部品製造者の一つ以上の情報を含む、請求項１３に記載のシステム。
【請求項１５】
前記上側及び下側の締着ビーム(16)及び各成形工具(18)の前記量的情報は、それらの寸法と、前記上側及び下側の締着ビーム上の各成形工具に対する適切な位置とを含む、請求項１３に記載のシステム。
【請求項１６】
前記パンチ成形またはプレス成形機械は、プレスブレーキ(10)を備え、
前記一個以上のディスプレイは、複数個のディスプレイと複数個のセグメント(20)とを含み、
前記一個以上のディスプレイの少なくとも一個のディスプレイは、前記セグメントの各々内に収容され、
各セグメントは、端部同士を接した様式で結合されると共に、前記プレスブレーキの上側及び下側のテーブル(14)の広がりと長さが同様である広がりを有し、
結合された各セグメントは、モジュール式アセンブリを形成する、
請求項１に記載のシステム。
【請求項１７】
複数の変形動作を包含する曲げ動作の間における、請求項１のプレスブレーキの表示デバイスのための方法であって、
前記表示デバイスの一個以上のディスプレイ上に工具設定を呈示する段階であって、前記工具設定は前記表示デバイスにより受信された特定の曲げプログラムに対応し、呈示された工具設定は、前記プレスブレーキの上側及び下側のテーブルと、前記曲げプログラムのために各テーブル上で使用されるべき成形工具とに対する量的及び質的な情報を含み、前記質的情報は前記上側及び下側のテーブル及び前記成形工具の対応表現物を含み、前記量的情報は前記上側及び下側のテーブル上の各工具の適切な位置を含む、という段階と、
第1被加工材に対する特定の曲げプログラムの第1変形動作に対し、該第1変形動作に関連付けられた工具表現物を強調し、且つ、前記第1変形動作に関連付けられない工具表現物を強調解除する段階と、
第1被加工材に対する特定の曲げプログラムの第2変形動作に対し、前記第1変形動作に関連付けられた工具表現物を強調解除し、且つ、該第2変形動作に関連付けられた工具表現物を強調する段階と、
前記第1被加工材に対する特定の曲げプログラムの一切の更なる変形動作に対し、第2変形動作に関する強調解除段階及び強調段階を反復する段階と、
前記曲げプログラムに関して為される一切の更なる被加工材に対する前記第1変形動作、第2変形動作、及び、該当するなら、更なる単一もしくは複数の変形動作に関し、強調段階及び強調解除段階を反復する段階と、
を有する、方法。
【発明の詳細な説明】
【技術分野】
【０００１】
本発明は概略的に、機械加工プロセスを支援し、更に詳細には、パンチ成形またはプレス成形機械のためのプロセスを支援する装置、システム及び方法に関する。
【背景技術】
【０００２】
板金及び他の被加工材は、広範囲の有用な製品へと加工され得る。その目的のために、加工(すなわち製造)プロセスは一般的に、板金及び他の被加工材に、種々の曲げ部を作成する段階、及び／または、孔を形成する段階を包含する。斯かるプロセスにおいて概略的に使用される形式の機器としては、タレット・プレス、及び、(単一ステーション式プレス機械の如き)他の工業的なプレス機械、トルンプ(Trumpf)型の工作機械及び他のレール型システム、プレスブレーキ(press brake)、シート送給システム、コイル送給システム、及び、板金をパンチ成形もしくはプレス成形すべく適合化された他の形式の加工機器が挙げられる。
【０００３】
プレスブレーキに関し、それらは、下側テーブル及び上側テーブルを備えると共に、一般的には金属製の被加工材を変形させるために使用される。各テーブルの内の一方(典型的には上側テーブル)は、他方のテーブルに向けて垂直に移動可能に構成される。その目的の為に、一方のテーブルが他方に向けてもたらされたときに、それらの間に位置された被加工材が適切な形状へと曲げられ得る様に、各テーブルに対しては成形工具が夫々取付けられる。典型的に、上側テーブルは、(Ｖ形状表面の如き)底部における被加工材変形表面を有する雄型の成形工具(パンチ)を含み、且つ、底部テーブルは、上記雄型工具の被加工材変形表面に対して垂直方向に整列された上側表面を有する適切な形状の雌型工具(ダイ)を有する。
【０００４】
公知である如く、プレスブレーキと共に使用される成形工具は、被加工材を厳密な仕様へと曲げるために、各プレス・テーブル上に慎重に位置決めされねばならない。この点に関して操作者を支援するために、位置決めシステムを備えた幾つかのプレスブレーキが作製されている。斯かる位置決めシステムは、多くの場合、プレスブレーキの前側に配備されると共に、プレスブレーキの各テーブルの相当の長さに対して張りわたる。上記位置決めシステムは、(例えば、背後から照明され得る)定規もしくは目盛板、または、LED帯片の如き発光ダイオード(LED)機構を利用することが知られている。例えば、LED帯片の場合、それらは典型的には、プレスブレーキ上に取付けられた囲繞体内に収容され、その場合に斯かる帯片は、上記囲繞体の範囲に対して張りわたると共に、該囲繞体の前側の(ガラスまたはプラスチックの如き)透明な基板を通して視認可能である。
【０００５】
幾つかの習用のプロセスにおいては、プレスブレーキの動作に対する変形パラメータは概略的に、該プレスブレーキに対してハード結線されたコンピュータ操作卓(computer console)へと入力される。上述された如く位置決めシステムを有するプレスブレーキに関し、操作卓はそれに対して同様に結線される。その故に、機械操作がプレスブレーキ操作卓に対して一旦入力されたなら、位置決めシステムは、(LED帯片または定規／目盛板の)対応セグメントを明るくして、プレスブレーキ上で各成形工具に対する必要な取付け位置(例えば、テーブルの丈に沿う特定箇所)を表示する。
【発明の概要】
【発明が解決しようとする課題】
【０００６】
上述の位置決めシステム及び他の習用の形式は、プレスブレーキ上の各成形工具を位置決めするために使用されてきたが、斯かるシステムの設計態様は、それらの用法及び更なる機能性が限られていた。本発明は、これらの及び他の制限に対して対処するものである。
【課題を解決するための手段】
【０００７】
本発明の実施形態は、パンチ成形及び／またはプレス成形機械に対する位置／情報／対話的表示デバイス(PIIDD)に焦点を合わせている。該表示デバイスは、新たな及び既存の機械設計態様に対して所望に応じて位置決めされるために、モジュール式であり且つコンパクトなサイズで構成され得る。上記表示デバイスには、複数の量的及び質的な情報を提供すべく構成可能なディスプレイが形成される。上記表示デバイスは、補足的デバイス、インタフェース・デバイス、及び、対話的デバイスの内の一つ以上であるべく、パンチ成形及びプレス成形機械の操作卓と共に機能すべく構成され得る。
【０００８】
本発明の一定の実施形態においては、プレスブレーキ用の表示デバイスが提供される。上記表示デバイスは、一個以上のディスプレイを備える。上記一個以上のディスプレイは、プレスブレーキの前面上への選択的な位置決め及び取付けに対して構成される。上記一個以上のディスプレイは、上記プレスブレーキの上側及び下側のテーブルの広がりと長さが同様である広がりを有する。上記一個以上のディスプレイは、上記上側及び下側のテーブルのいずれかの奥行より少なくとも1/4だけ小さい奥行を有する。
【０００９】
付加的に、本発明の一定の実施形態においては、プレスブレーキ用の表示デバイスが提供される。上記一個以上のディスプレイは複数のディスプレイを備える。上記各ディスプレイは、端部同士を接した様式で結合されると共に、上記プレスブレーキの上側及び下側のテーブルの広がりと長さが同様である広がりを有する。各ディスプレイは、上記上側及び下側のテーブル上の各締着ビームの広がりを集合的に呈するために、電気的に関連付けられ且つ同期され得る。上記広がりは、各ビームに対する当該各ディスプレイの位置に対応する。
【００１０】
同様に、プレスブレーキ用の表示デバイスが提供される。該表示デバイスは、複数個のディスプレイ及び複数個のセグメントを備える。上記一個以上のディスプレイの内の少なくとも一個のディスプレイは、上記セグメントの各々内に収容される。上記セグメントは、端部同士を接した様式で結合され、且つ、プレスブレーキの上側及び下側のテーブルの広がりと長さが同様である広がりを有する。結合された各セグメントは、モジュール式アセンブリを形成する。
【００１１】
同様に、本発明の一定の実施形態においては、パンチ成形及びプレス成形機械に対する動作に関する情報を伝達するシステムが提供される。上記システムは、パンチ成形またはプレス成形機械と、表示デバイスと、操作卓とを備える。上記表示デバイスは、上記機械上に選択的に位置決めされて使用されるべく構成される。上記表示デバイスは、タッチスクリーン機能性を有する一個以上のディスプレイを有する。上記一個以上のディスプレイは量的及び質的な情報を呈示すべく構成される。上記量的及び質的な情報は、上記機械及びそれに対する各工具に対してプログラムされた一つ以上の動作を包含する詳細及び特性を備える。上記操作卓は、上記ディスプレイ・バーから遠隔的に配置される。上記量的及び質的な情報は、上記操作卓を介して上記ディスプレイ・バーに対して提供される。
【００１２】
更に、本発明の一定の実施形態においては、複数の変形動作を包含する曲げ動作の間におけるプレスブレーキの表示デバイスのための方法が提供される。該方法は、上記表示デバイスの一個以上のディスプレイ上に工具設定を呈示する段階を備える。上記工具設定は、上記表示デバイスにより受信された特定の曲げプログラムに対応する。上記呈示された工具設定は、上記プレスブレーキの上側及び下側のテーブルと、上記曲げプログラムのために上記各テーブル上で使用されるべき成形工具とに対する量的及び質的な情報を備える。上記質的情報は上記上側及び下側のテーブル及び上記成形工具の対応表現物を備える。上記量的情報は、上記上側及び下側のテーブル上の上記各工具の適切な位置を備える。上記方法は、第1被加工材に対する上記特定の曲げプログラムの第1変形動作に対し、該第1変形動作に関連付けられた上記工具表現物を強調し、且つ、上記第1変形動作に関連付けられない工具表現物を強調解除する別の段階を備える。上記方法は、第2被加工材に対する上記特定の曲げプログラムの第2変形動作に対し、上記第1変形動作に関連付けられた工具表現物を強調解除し、且つ、該第2変形動作に関連付けられた工具表現物を強調する別の段階を備える。上記方法は、上記第1被加工材に対する上記特定の曲げプログラムの一切の更なる変形動作に対し、第2変形動作に関する強調解除段階及び強調段階を反復する別の段階を備える。上記方法は、上記曲げプログラムに関して為される一切の更なる被加工材に対する上記第1変形動作、第2変形動作、及び、該当するなら、更なる単一もしくは複数の変形動作に関し、上記強調段階及び強調解除段階を反復する別の段階を備える。
【図面の簡単な説明】
【００１３】
【図１】本発明の幾つかの実施形態に従う表示デバイスを含む代表的なプレスブレーキの斜視図である。
【図２】図１のプレスブレーキ及び表示デバイスの側面図である。
【図３Ａ】図１の表示デバイスの拡大斜視図である。
【図３Ｂ】図１の表示デバイスの組み立て図である。
【図４】本発明の幾つかの実施形態に従う表示デバイスに対して種々の広がり及び構成を有する３つの代表的なセグメントの斜視図である。
【図５】本発明の幾つかの実施形態に従い自身のディスプレイ上に提供された詳細情報を備える図１の表示デバイスの斜視図である。
【図６】本発明の幾つかの実施形態に従う図１の表示デバイスから分離された該デバイスのディスプレイを示す図１のプレスブレーキの斜視図である。
【図７Ａ】本発明の幾つかの実施形態に従う別の表示デバイスの前面図である。
【図７Ｂ】本発明の幾つかの実施形態に従う別の表示デバイスの側面図である。
【図７Ｃ】本発明の幾つかの実施形態に従う別の表示デバイスの拡大側面図である。
【図８】本発明の幾つかの実施形態に従うプレスブレーキに対する上側プレス・ビームの側面図である。
【図９Ａ】図１の表示デバイスのディスプレイの全体的な斜視図である。
【図９Ｂ】図１の表示デバイスのディスプレイの部分的な斜視図である。
【図９Ｃ】図１の表示デバイスのディスプレイの部分的な斜視図である。
【図１０Ａ】本発明の幾つかの実施形態に従うプレスブレーキの斜視図である。
【図１０Ｂ】本発明の幾つかの実施形態に従うプレスブレーキの上側プレス・テーブルの斜視図である。
【図１０Ｃ】本発明の幾つかの実施形態に従うプレスブレーキの表示デバイスの斜視図である。
【図１１Ａ】本発明の幾つかの実施形態に従う更なる表示デバイスを備えた図１のプレスブレーキの斜視図である。
【図１１Ｂ】本発明の幾つかの実施形態に従う更なる表示デバイスを備えた図１のプレスブレーキの斜視図である。
【図１２】本発明の幾つかの実施形態に従う代表的なプレスブレーキ作業領域の斜視図である。
【図１３】本発明の幾つかの実施形態に従う代表的なパンチ成形工具の斜視図である。
【図１４Ａ】プレスブレーキの変形領域を囲繞するカメラを含む、本発明の幾つかの実施形態に従う図１のプレスブレーキ及び表示デバイスの前方斜視図である。
【図１４Ｂ】プレスブレーキの変形領域を囲繞するカメラを含む、本発明の幾つかの実施形態に従う図１のプレスブレーキ及び表示デバイスの後方斜視図である。
【図１５】本発明の幾つかの実施形態に従う表示デバイスを使用する際の方法の各ステップのフローチャートである。
【図１６Ａ】本発明の幾つかの実施形態に従い締着ビームの状況の変化に基づく種々の画面内容を有する図１の表示デバイスのディスプレイの代表的な画面描写である。
【図１６Ｂ】本発明の幾つかの実施形態に従い締着ビームの状況の変化に基づく種々の画面内容を有する図１の表示デバイスのディスプレイの代表的な画面描写である。
【図１７Ａ】図１５の方法の各ステップに対応する図１の表示デバイスのディスプレイの代表的な画面描写である。
【図１７Ｂ】図１５の方法の各ステップに対応する図１の表示デバイスのディスプレイの代表的な画面描写である。
【図１７Ｃ】図１５の方法の各ステップに対応する図１の表示デバイスのディスプレイの代表的な画面描写である。
【図１８Ａ】本発明の幾つかの実施形態に従うポップアップ・ウィンドウの代表的な画面描写である。
【図１８Ｂ】本発明の幾つかの実施形態に従うポップアップ・ウィンドウの代表的な画面描写である。
【図１９】本発明の幾つかの実施形態に従う図１の表示デバイスと組み合わせて使用されるディスプレイ・タブレットの代表的な画面描写である。
【発明を実施するための形態】
【００１４】
以下の詳細な説明は、同様の要素が同一的に付番されるという各図面を参照して読破されるべきである。各図は、選択された実施形態を示しており、本発明の有効範囲を制限することは意図されない。図中に示され且つ以下に記述される各実施形態は、例示目的のみであり、各請求項中に定義された本発明の有効範囲を制限することは意図されないことは理解される。
【００１５】
上述された如く、(上方作用または下方作用式のプレスブレーキの如き)一定のパンチ成形もしくはプレス成形機械の形式は、位置決めシステムを備えて構成される。例えば、プレスブレーキに関し、位置決めシステムは、各プレス・テーブル上における成形工具に対する取付け位置を表示すべく使用されてきたが；これらのシステムの設計態様は、操作者に対して伝達されるべき量的データの如き他の情報に対しては殆ど有用でなかった。このことは部分的に、位置決めシステムと共に使用されるLED帯片または定規／目盛板の如き機構の制限に起因している。その目的の為に、LED帯片または定規／目盛板は、まさにそれらの性質により(且つ、特に、プレスブレーキ・テーブルの広がりに対して張りわたるべく構成されたとき)、測定情報を提供すべく連動される。故に、望まれたとしても、これらの位置決めシステムの設計態様及び構成を(例えば、付加するなどして)相当に変更しなければ、該システムの機能性を拡張する可能性は殆どない。但し、これらの習用の位置決めシステムのサイズは、被加工材に関する隙間の問題の故に、一定の機械加工操作の阻害に関し、既に相当に問題的である。これらの問題はまさに、本発明の実施形態が対処することが意図された欠点の幾つかである。その目的の為に、本明細書中に記述される実施形態は、例えば、位置／情報／対話的表示デバイス(PIIDD)などの、表示デバイスに焦点を合わせている。この説明はプレスブレーキの設計態様に焦点を合わせているが、具現された表示デバイスは、実質的に任意のプレス成形またはパンチ成形用の機械類での使用に適用可能であることを理解すべきである。
【００１６】
図１は、本発明の幾つかの実施形態に従う、自身上に取付けられた表示デバイス12を備える代表的なプレスブレーキ10の斜視図を示している。逆に、図２は、プレスブレーキ11及び図１の表示デバイス12の側面図を示している。上述された如く、図１は代表的なプレスブレーキ10を示すが、それは、表示デバイス12の一つの構成、及び、プレスブレーキ10上における該デバイス12に対する代表的な取付け箇所を実際的に描く上で十分である。その目的の為に(且つ、後時に記述される如く)、図１に示された表示デバイス12は、更に長寸の広がりのプレスブレーキ上で使用される本発明の表示デバイスの単一のセグメント20を代表し得る。
【００１７】
依然として図１を参照すると、表示デバイス12は、プレスブレーキ10の前面上に選択的に配置され得るバー状の本体を包含する。示された幾つかの場合、表示デバイス12は、プレスブレーキ10の各テーブル(またはビーム)14の一方上に位置され得る。例えば、デバイス12は、上側テーブル14a上に位置され得ると共に、所望に応じて(上側テーブル14aの)対応する締着ビーム(clamping beam)16に可及的に接近して配置され得る。(後時に記述される如く)表示デバイス12の概略的サイズは、位置決めに関する該デバイスの融通性に寄与する。示された如き一定の実施形態において、表示デバイス12は、上側テーブル14aの締着ビーム16に対して当接すべく位置決めされ得る。斯かる位置は、表示デバイス12が、締着ビーム16と、それにより保持されるべき(図２に示された)成形工具18とに隣接して配備され得るだけでなく、デバイス12は、ビーム16に対する幾分かの保護カバー(またはフード)も形成し得ることからも、好適である。但し、本明細書における記述から理解され得る如く、表示デバイス12の載置は、プレスブレーキ10上の斯かる箇所において必要とされるのではない。代わりに、表示デバイス12の特性によれば、所望に応じて、選択的に位置されること(及び、幾つかの場合には、部分的にもしくは全体的に再位置決めされること)が可能とされる。その目的の為に、本明細書中に記述される実施形態は、(デバイス12の如く)種々の異なる形態で構成された表示デバイスであって、当該デバイスがプレス成形またはパンチ成形機械上での適合化及び位置決めに関して広範に融通性を有し得る、という表示デバイスを包含する。
【００１８】
上記にて言及された如く、プレスブレーキ・テーブル14の(上側テーブル14aの如き)いずれか上に表示デバイス12を配置することは、その概略的にコンパクトなサイズ及び取扱い可能な重量などの該デバイスの特性に依り、可能とされる。そのサイズの結果として、表示デバイス12は、比較的容易に取扱われ得ると共に、プレスブレーキ10上に、その変形動作を概略的に阻害(すなわち、不都合に影響もしくは干渉)せずに、位置決めされ得る。表示デバイス12の一つの特性は、その奥行が非常に浅い、ということである。図２に示された如き一定の実施形態において、デバイス12は、各プレス・テーブル14のいずれかの奥行よりも、少なくとも1/8だけ小さい奥行を有している。他の、おそらくは更に好適な実施形態において、デバイス12は、各プレス・テーブル14のいずれかの奥行よりも、少なくとも1/4だけ小さい奥行を有し得る。更なる、おそらくは更に好適な実施形態において、デバイス12は、各プレス・テーブル14のいずれかよりも、少なくとも1/2だけ小さい奥行を有し得る。その浅い奥行に鑑みると、表示デバイス12は、各テーブル14のいずれか上に、該テーブルの前側輪郭形状をそれほど増大させずに配置され得る。比較として、多くの公知の位置決めシステムはプレスブレーキの上側テーブル14aの前面から相当に突出することにより、一定の被加工材が屈曲され得る角度の範囲を制限する。例えば、一定の被加工材は、上側テーブル14aに非常に接近して上方に屈曲される必要があり得る。表示デバイス12は、その浅い奥行により、プレスブレーキ10の変形動作の間における斯かる隙間の問題を引き起こす虞れが限られる。但し、曲げ隙間が問題となるという、ありそうにない状況展開においてさえも、(後述される如き)表示デバイス12の構成によれば、所望に応じて部分的または全体的な再位置決めが可能とされる。
【００１９】
図３Ａは、本発明の幾つかの実施形態に従うスタンドアロン(または自立)形態における図１の表示デバイス12の拡大斜視図を示す一方、図３Ｂは表示デバイス12の組み立て図を示している。表示デバイス12のこれらの図(及び、サイズ・パラメータに関する以下の記述)により、当業者であれば、上記デバイスの概略的なコンパクトさ、及び、浅い奥行を更に良好に理解し得よう。示された如き一定の実施形態において、表示デバイス12は、所望長さを有する一つの連続的なセグメント(または単一の一体的本体)20で形成され得る。但し、本発明はその様なものに限定されるべきでない、と言うのも、表示デバイス12は好適には、一つ以上のセグメント20により形成され得るからである。その目的の為に、図４は、本発明の幾つかの実施形態に従う表示デバイス12を構成する上で利用され得る複数の代表的なセグメント20を示している。例えば、示された如く、セグメント20は、(例えば、“x”、“y”、“z”または他の長さの如き代表的な長さを有する)広がり、及び、(例えば、１個、２個、３個、または、それ以上のディスプレイを有する)構成に関し、所望に応じて形成され得る。
【００２０】
図１から理解されるべき様に、一定の実施形態において、表示デバイス12の丈は、プレスブレーキ・テーブル14の全長にわたり延在し(または張りわたり)得る。その目的の為に、上述された如く、表示デバイス12は、各セグメント20が一つ以上のディスプレイ24を備えるという、一つ以上のセグメント20から形成され得る。公知の如く、(プレスブレーキの如き)工業的なプレス機械は、種々の異なるサイズで作製される。故に、それを複数のセグメント20で形成されるべく構成することにより、表示デバイス12は、モジュール式とされる一方、種々の長さのプレスブレーキ・テーブルに対して高度に適合可能であり得る。表示デバイス12をこの様にモジュール式に構成すると、可変的であり乍らも迅速であるという、すなわち、必要な個数のセグメント20を端部同士を接した様式で相互に結合することによる、任意の所望の長さのデバイス12の構成が可能とされる。各セグメント20は各々が同様の長さであり得るが、本発明はその様に制限されるべきでない。一定の実施形態において、各セグメント20は、長さが少なくとも30.5cm (12インチ）であるべく構成され、おそらくは更に好適な実施形態において、各セグメント20は、長さが約45.7cm (18インチ）〜約121.9cm (48インチ）であるべく構成され、且つ、おそらくは最も好適な実施形態において、各セグメント20は、長さが約61.0cm (24インチ）〜約91.4cm (36インチ）であるべく構成される。
【００２１】
上述された如く、且つ、図３Ａを参照すると、表示デバイス12(または、その各セグメント20)は、一つ以上のディスプレイ24を含むべく構成され得る。但し、更に図４を参照して更に上述された如く、ディスプレイ24の個数及びサイズは、所望に応じて変更され得る。図３Ｂを戻り参照すると、一定の実施形態においては、チャネル23を介して複数のディスプレイ24が端部同士を接した様式で結合されて表示デバイス12(または、そのセグメント20)を形成し得る。示された如き一定の実施形態において、チャネル23には、ディスプレイ24の対応する上側及び下側の外端部24a、24bを収容すべくサイズ設定された上側及び下側の内側面23a、23bが画成される。その故に、各ディスプレイ24は、チャネル23内へと一つずつ挿入(または摺動)され得ると共に、チャネル23の両端部上には、自身内に挿入された各ディスプレイ24を保持するために端部キャップ26が採用される。これらのディスプレイ24の集合的な機能に関しては、後に更に記述されよう。但し、この時点において、斯かるチャネル23を使用したとしても、依然として、表示デバイス12には、浅い奥行、及び、各ディスプレイ24よりそれほど大きくない高さが付与されることを理解すべきである。故に、上述された如く、表示デバイス12は、所望に応じて、プレスブレーキ上に位置決めされ得る。その目的の為に、表示デバイス12は、新たな機械上で使用されるべく構成され得ると共に、既存の機械上での使用(すなわち、改造用途)に対して構成され且つ対応してサイズ設定され得る。
【００２２】
ディスプレイ24は、電気インク(“e-インク”)、LED、LCD、または、他の同様のディスプレイ形式であり得る。e-インク形式のディスプレイの場合、それらの前面は一般的に、高衝撃特性を呈すべく構成される。同様に、LED及びLCD形式のディスプレイは、高衝撃性の前面を以て構成される。故に、パンチ成形またはプレス成形機械に追従すべく使用された位置決めシステムとは異なり、表示デバイス12は、その更なる保護囲繞体の使用を必然とはしないが、表示デバイス12の設計態様は、所望であれば、該デバイスの前面上に保護カバーが取付けられることを阻害するものではない。但し、保護的な囲繞体またはカバーを必然としない結果として、ディスプレイ24は、表示デバイス12の一体形成部分であり得る。
【００２３】
e-インク、LED、LCD、または、他の同様のディスプレイ形式であることから、各ディスプレイ24は(例えば、端部同士を接した様式で電気的に接続されるなどして)連結され且つ同期されることで、接続された各ディスプレイ24が集合的に機能することが有効とされ得る。例えば、図５に関して示される如く、各ディスプレイ24は、プレスブレーキ10に対してプログラムされた変形動作に従い、各締着ビーム16上で夫々の成形工具18が使用されるべき適切な位置を呈示し得る。その目的の為に、連結／同期されたとき、各ディスプレイ24は、各プレス・テーブル14上における(各テーブル14上の夫々のディスプレイ24の位置に対応する)夫々の締着ビーム16の広がり、及び、それに対して締着されるべき各成形工具18に対する適切な位置を、集合的に呈示すべく構成される。各ディスプレイ24は更に、本明細書において後時に記述される如く、(例えば、プログラムされた変形動作に関するパラメータなどの)多様な付加的情報を呈示し得る。
【００２４】
上記に続き、e-インク、LED、LCD、または、他の同様のディスプレイ形式であるディスプレイ24は、表示デバイス12の設計態様の融通性に寄与する。例えば、上述された如く、各ディスプレイ24は、所望されただけ長い長さ、または、5.1cm (2インチ）という小ささの長さを有すべく作製され得る。その目的の為に、表示デバイス12の長さ(または、該当するなら、そのセグメント20の個数及び長さ)に基づき、各ディスプレイ24は、表示デバイス12(または、その各セグメント20)に対して張りわたるべく、対応してサイズ設定され得る。例えば、図１に示された表示デバイス12を(図３に示されたその拡大図と共に)参照すると、該デバイス12は、連結／同期された複数のディスプレイ24を備える一つのセグメント20として形成され得る。上述された如く、結合された複数のセグメント20で形成されるべく表示デバイス12を構成すると、該デバイスの長さは所望に応じて変更され得る。その同じ目的のために、各ディスプレイ24は、所望に応じて斯かる各セグメント20に対してして張りわたるべく、事前構成され得る。
【００２５】
上記に続き、各ディスプレイ24は所望に応じた長さを有すべく作製され得る一方、更に典型的で容易に入手可能な(すなわち標準的な)長さのディスプレイ24を使用すると、更にコスト効率的であり得る。例えば、一定の実施形態においては斯かる標準的な長さのディスプレイ24により、相当な広がりの表示デバイス12(または、その各セグメント20)が構成され得る。斯かる実施形態において、表示デバイス12の各ディスプレイ24は、長さが少なくとも15.2cm (6インチ）であるべく構成され、おそらくは更に好適な実施形態において、各ディスプレイ24は、長さが約22.9cm (9インチ）〜約91.4cm (36インチ）であるべく構成され、且つ、おそらくは最も好適な実施形態において、各ディスプレイ24は、長さが約30.5cm (12インチ）〜約50.8cm (20インチ）であるべく構成される。但し、幾つかの場合、表示デバイス12は、(該デバイス12の一つ以上の端部における如く)標準的でない(または典型的でない)長さの一つ以上のディスプレイ24を使用し、該デバイス12が各テーブル14にわたり延在し得ることを必然とし得る。これらの場合、e-インク、LED、LCD、または、他の同様のディスプレイ形式によれば、斯かる典型的でないサイズ設定が許容される。
【００２６】
更に図５を参照すると、該図は、(デバイス12を全体的に、または、その複数のセグメント20の内の一つとして該デバイスを部分的に画成し得る)表示デバイス12のセグメント20を示している。図３Ａと同様に、表示デバイス12のセグメント20はスタンドアロン(または自立)形態で、但し、本発明の幾つかの実施形態に従い各ディスプレイ24上に提供された詳細を以て、示される。上述された如く、連結／同期されたとき、各ディスプレイ24は、各締着ビーム16の対応する広がり、及び、その上に使用されるべき各成形工具18に対する適切な位置を呈示する上で、集合的に機能すべく構成される。図５に示されたセグメント20を参照し続けると、各ディスプレイ24間の斯かる連結／同期に対する電子機器及び結線は、各ディスプレイ24自体内に覆い隠され(且つ保護され)ることを理解すべきである。一定の実施形態において、各ディスプレイ24内には、一つ以上の再充電可能なバッテリの如き(視認可能には示されない)電源が更に配備されることで、(例えば、非常電力のためなどに)必要に応じて電力を提供し得る。例えば、図３Ａに示されたディスプレイ24に関するなどのディスプレイ24の他の特徴としては、電源スィッチ17、画面制御器19、及び、音声入力／出力のためのスピーカ21の内の一つ以上が挙げられる。
【００２７】
上述された如く、一定の実施形態において、表示デバイス12の各セグメント20は、端部キャップ26を備えて構成され得る。理解されるべく、各セグメントを端部同士を接して結合する上で、各端部キャップ26は、端部同士を接した様式で各セグメント20を作用的に結合するための基台を提供し得る。図３Ｂを戻り参照すると、各端部キャップ26はまた、所定のセグメント20内に保持された各ディスプレイ24の連結／同期、及び／または、２つ以上のセグメント20の各ディスプレイ24の連結／同期における介在物として機能する様にも構成され得る。その目的の為に、図４に示された一定の実施形態において、各端部キャップ26は、セグメント20の各ディスプレイ24に対する／からの電力及びデータの伝達のための(例えば、USB、イーサネットなどの)コネクタ25を備えて構成され得る。更に、一定の実施形態において、且つ、図４及び図５を参照すると、各ディスプレイ24の両端部24c、24dは、例えば、(表示デバイス12の隣接するセグメント20の他のディスプレイ24との通信のために)端部キャップ26のコネクタ25に対し、または、同一のセグメント20の他のディスプレイ24に対するなど、連結／同期目的で、電力及びデータの伝達のための(例えば、USB、イーサネットなどの)同様のコネクタ25を備えて構成される。示された如く、一定の実施形態において、各ディスプレイ24の端部24c、24dの一つ以上の上に、一つ以上の更なるコネクタが配備され得る。例えば、示された如く、ディスプレイ端部24c上には、例えば、該当するならディスプレイ24の非常電源を充電するために、ディスプレイ24に対して電力をもたらすために、一つの斯かるコネクタ27aが配備され得る。
【００２８】
以下においては、図７から図９を参照し、連結／同期の更なる説明が行われる。但し、斯かる連結／同期コネクタ25を備えて構成されたディスプレイ24に基づくと、一つ以上のディスプレイ24は、(表示デバイス12の残部に対する)その元の箇所がプレスブレーキ10の特定の変形動作を阻害するなら、表示デバイス12から移動されて再位置決めされ得ることを理解すべきである。斯かる再位置決めの例は図６に示され、それによれば、各ディスプレイ24の内の一つは、表示デバイス12の他のディスプレイ24から離間して再位置決めされて示される。示された如く、再位置決めされたディスプレイ24は、上側テーブル14a上で他のディスプレイ24よりも大きな高さへと移動され乍らも、依然として、本発明の幾つかの実施形態に従い各ディスプレイ24の夫々のコネクタ25間に延在する電気ジャンパ線27の使用により、他のディスプレイ24と連結／同期され得る。
【００２９】
図７Ａから図７Ｃは、本発明の幾つかの実施形態に従う(図１のプレスブレーキ10の如き)プレスブレーキに対する表示デバイス12'を形成する代表的なディスプレイ24'の種々の図を示している。既に記述されたディスプレイ24と類似する一方、図７Ａから図７Ｃのディスプレイ24'は、プレスブレーキ10に対してプログラムされた変形動作の各々に関する情報を伝達するという単一の能力においてプレスブレーキ10と共に機能すべく構成される。その故に、ディスプレイ24'は、プレスブレーキ10の各プレス・テーブル14の対応する広がりにわたり延在すべくサイズ設定される。図７Ａから図７Ｃは夫々、ディスプレイ24'の前面図、側面図、及び、拡大された部分的側面図を示している。プレスブレーキ10に対する表示デバイス12'として、斯かるディスプレイ24'の単一的な用法が与えられるので、ディスプレイ24'に対して、(図３Ｂのディスプレイ24に関して上述された如き)連結／同期コネクタ25は必要とされない(ので、形成されない)。但し、所望であれば、ディスプレイ24'に対して斯かるコネクタ25が配備され得ることを理解すべきである。
【００３０】
代替的に、一定の実施形態において、且つ、おそらくは図７Ｃにおいて最も明確に示される如く、ディスプレイ24'は、自身に対する電力及びデータ通信のために、その上端部24a'上に電気帯片29を備えて構成され得る。一定の実施形態において、電気帯片29は上端部24a'の長さにわたり延在し、給電及びデータ伝達の目的に必要とされる対応入力に接触する。その目的の為に、図７Ｃにおいて更に示された如く、電気帯片29は、例えば、電力に対する２つの接点31、及び、データ伝達のための一つの接点33などの、複数の接点を含み得る。図８は、本発明の幾つかの実施形態に従うプレスブレーキ10の上側プレス・テーブル14aの側面図を示している。示された如く、且つ、図１を参照すると、上側プレス・テーブル14aには、ディスプレイ24'の電気帯片29及びそのコネクタ31、33と整列してそれらと接触すべく構成された対応電気帯片29'及びコネクタ31'、33'を含む棚部15が形成され得る。この様にして表示デバイス12'を給電すると、電気帯片29は、各プレス・テーブル14におけるまたはその近傍において使用され(または、表示デバイス12'から作動かつ制御され)得る任意の更なる電気駆動補機を給電すべく付加的に利用され得ることを理解すべきである。代替的に、ディスプレイ24'には(電力／データ伝達のための、図３Ｂ参照)コネクタ25が構成されなくても良いが、斯かるコネクタ25は、所望に応じてディスプレイ24'に配備され得る。その目的の為に、一定の実施形態において、表示デバイス12'は対応して、各プレス・テーブル14にてまたはその近傍において使用され(または、表示デバイス12'から作動かつ制御され)得る同一の電気駆動補機の内の任意のものに対して電力をもたらすブリッジの役割を果たし得る。
【００３１】
図９Ａから図９Ｃは、表示デバイス12の他のディスプレイ24に関する連結／同期機能性に対する図４のディスプレイ24の特徴に関する更なる詳細を示している。図９Ａは、本発明の幾つかの実施形態に従うディスプレイ24の斜視図を示す一方、図９Ｂ及び図９Ｃは、ディスプレイ24の各端部24c及び24dの代表的な構成の斜視図を示している。示された如く(且つ、先に上述された如く)、ディスプレイ端部24c、24dの各々には、電力及びデータ伝達のための(例えばUSB、イーサネットなどの)コネクタ25が構成される。その目的の為に、これらのコネクタ25は雌型の受容器であり、各ディスプレイ24の夫々のコネクタ25の一方は更に、連結／同期目的で２つのディスプレイ24の夫々のコネクタ25を橋絡するための双方向雄型プラグ25aを含む。図３Ｂに関して上述された如く、一定の実施形態において、ディスプレイ端部24c、24d上には、一つ以上の更なるコネクタが配備され得る。例えば、上記にて先に記述された如く、一つの斯かる更なるコネクタ27aは、ディスプレイ24に対して電力をもたらすためにディスプレイ端部24d上に配備され得る。代替的に、または、組み合わせて、自身内にデータカード35を受容するために、別の更なるコネクタ27bが配備され得る。
【００３２】
表示デバイス12の機能性に戻ると、そのディスプレイ24がe-インク、LED、LCD、または、他の同様のディスプレイ形式である結果として、各ディスプレイ24により伝達される情報は、量的及び／または質的な情報の両方に関し、実質的に制限がないものとされ得る。その目的の為に、各ディスプレイ24は、パンチ成形またはプレス成形用の機械類に追従すべく構成された形式の位置決めシステムによれば、不可能ではないとしても提供することが困難であろうという詳細及び特性を提供し得る。上述され且つ図５に示された如く、一定の実施形態において、各ディスプレイ24は、各プレスブレーキ・テーブル14の成形工具18及び締着ビーム16に関与する情報を伝達する。例えば、各ディスプレイ24は、使用されるべきパンチ18a及びダイ18bに対応する表現物18a'及び18b'、及び、各締着ビーム16の対応する広がりに関するそれらの適切な位置を示すべく構成され得る。これに関する更なる詳細は以下に記述されるが、この時点において、斯かる表現物は、必要な成形工具18の特性が伝達されて操作者により明確に識別され得るという単なる一様式にすぎないことを理解すべきである。同様に、且つ、図１を戻り参照すると、各ディスプレイ24はまた、夫々、上側締着ビーム16a及び下側締着ビーム16bに対する表現物16a'及び16b'を呈示する様にも構成され得る。
【００３３】
一定の実施形態において、各ディスプレイ24は、各々の区分が、操作者に対して一つ以上の形態の情報を伝達すべく構成されたという、複数の区分を含むと考えられ得る。例えば、図５に示された如く、各ディスプレイ24は、(表現物16a'を介した)上側締着ビーム16aと、プログラムされた変形動作のために該ビーム上に締着されるべき(表現物18a'を介した)パンチ18aとの対応表現区画を呈示すべく構成された上側区分24eを含む。同様に、各ディスプレイ24は、(表現物16b'を介した)下側締着ビーム16bと、その上に締着されるべき(表現物18b'を介した)ダイ18bとの対応表現区画を呈示すべく構成された下側区分24fを含む。更に示される一定の実施形態において、各ディスプレイ24の上側及び下側の区分24a、24bの間に配置されるのは、ディスプレイ24に対して対応して関連付けられた締着ビーム14の区画の対応する長さ寸法を示す軸線28である。上記が与えられるなら、各ディスプレイ24は、プレスブレーキ締着ビーム16上に各成形工具18が適切に位置されるべき様に、それらを描くべく構成されることを理解すべきである。但し、各ディスプレイ24はまた、以下に記述される如く、工具類／テーブルの関係を増進するだけでなく、表示デバイス12により伝達されるべき付加的情報、及び、それに対する付加的な機能性を提供するフォーマットも提供する、という程度の詳細も提供する。
【００３４】
一定の実施形態において、斯かる付加的情報は、プレスブレーキ10、表示デバイス12、各プレスブレーキ・テーブル14(もしくは、それらの締着ビーム16)、及び、使用されるべき成形工具18の内の一つ以上に属する特性に関連し得る。例えば、工具18に関連する斯かる情報としては、(図５に示された如く)対応する部品番号30、部品寸法、部品製造者などが挙げられる。図５に示された如き一定の実施形態において、工具18に関する付加的情報は、工具表現物18a'、18b'上に対応して重ね合わされ得る。同様に、締着ビーム16の状況に関する情報は、締着ビーム表現物16a'、16b'上に対応して重ね合わされ得、その例は後時に記述される。図６に更に示された如く、各ディスプレイ24は、成形工具及び締着ビームの表現物の外部(または外側)の部分、すなわち、空きスペース領域32を有している。一定の実施形態において、これらの空きスペース領域32は、プレスブレーキ10に対してプログラムされた動作と、表示デバイス12に対する制御特性とに関する詳細を検索するために操作者によりインタフェースされるべく構成されたディスプレイ24の部分を包含している。これの更なる内容は、以下に記述される。但し、この時点において、斯かる詳細は情報的及び／または修正的な目的で(多言語で)検索され得ること、及び、これらの詳細は、プレス成形角度、バックゲージ設定、クラウニング・パラメータ、寸法を確認する評価部品図、付加的情報のためのウェブ・サイトへのリンク、顧客サービスのための機械もしくは工具類の製造者への連絡法、工具18に対して必要とされるその曲げシーケンス及び／または変更、及び、プレスブレーキ10と共に使用される(図１２に示された)操作卓36のパラメータの如き、複数の見地の内の任意のものを包含すること、を理解すべきである。
【００３５】
この時点まで、表示デバイス12は、プレスブレーキ10上に選択的に配置されるバー状の本体として記述されてきており、且つ、図１を更に戻り参照すると、一定の実施形態において、デバイス12は、プレスブレーキ10の上側テーブル14a上に位置決めされ、且つ、所望に応じて上側締着ビーム16aに接近して配置され得る。その目的の為に、表示デバイス12は上側テーブル14a上に着座することで、該表示デバイス12の浅い奥行の故に、僅かとはいえど、テーブル14aの前側輪郭形状を増大すべく構成される、という実施形態が(図２に関して)記述されてきた。その目的の為に、それが減少される一方、表示デバイス12は依然として、プレスブレーキ10の一定の変形動作を阻害し得る可能性がある。この問題に対処する一つの手法は、図６に関して例証される如く、表示デバイス12を部分的に分離して再位置決めすべく構成することである。但し、この問題に対処する別の手法は、表示デバイス12の使用によりプレスブレーキ10の前側輪郭形状が増大されることを阻止することである。図１０Ａから図１０Ｃは、以下に記述される如く、このことを達成するための表示デバイス及びプレスブレーキに対する対応構成を示している。
【００３６】
図１０Ａは、本発明の幾つかの実施形態に従い表示デバイス12が自身上に取付けられた代表的なプレスブレーキ10'の斜視図を示す一方、図１０Ｂ及び図１０Ｃは夫々、自身上に取付けられた表示デバイス12を備えるプレスブレーキ10'の上側テーブル14a'、及び、分離された上側テーブル14a'及びデバイス12を示している。図１０Ｃを参照すると、上側テーブル14a'は、該上側テーブル14a'の前面37に関して収容された配向で表示デバイス12を収容すべくサイズ設定された凹所35を備える。図１０Ｂに関して示される一定の実施形態において、凹所35は、表示デバイス12の両側部の各々にてそれを面一様式で収容すべく画成され得るが、本発明は、それに対して限定されるべきでない。代わりに、他のおそらくは更に好適な実施形態において、凹所35は、必要であれば、更に大きいサイズの表示デバイス12を収容するために、上記表示デバイス12のサイズよりも相当に大寸であるべく画成され得る。更に、(例えば、先に図５において例証された如く)表示デバイス12は単一のディスプレイ24として示されるが、本発明はその様なものに限定されるべきでない。例えば、表示デバイス12は好適に、(例えば、チャネル23と複数のディスプレイ24を有する)図１の構成を包含し得るが、凹所35は、チャネル23及び各端部キャップ26と共に使用されたときにおける表示デバイス12を面一様式で収容すべく、サイズが広げられる(例えば、拡大されかつ深底とされる)必要があろうことを理解すべきである。
【００３７】
上記に続き、この時点まで記述された表示デバイス12、12'は、プログラムされた変形動作に関する量的及び質的な両方の多数の情報を伝達すべく適合可能である。結果として、斯かるデバイス12、12'の各ディスプレイ24は、斯かる情報を呈示するための適切な画面サイズを必然とする。しかし、もし、この情報が、成形工具の取付け位置情報のみを包含する如き、斯かる情報の部分集合のみへと細分化されたなら、画面サイズは、例えば高さなどのサイズが相当に減少され得よう。従って、(図１１Ａ及び図１１Ｂにおいて例証される如く)斯かる表示デバイス12"により適応されるプレスブレーキの領域は、対応して減少されよう。特に、一定の実施形態において、e-インク、LED、LCD、または、他の同様のディスプレイ形式の一つ以上のディスプレイ24"を使用する上で、表示デバイス12"の高さは、それが呈示する位置的情報が、(表示デバイス12、12'とは対照的に)対応する締着ビーム16の更に近傍においてプレスブレーキ・テーブル14上に提供され得る如く、サイズが減少され得る。一定の実施形態において、表示デバイス12"の高さは、図１の表示デバイス12及び図８の表示デバイス12'の高さの1/2未満である。その目的の為に、図１１Ａは、本発明の幾つかの実施形態に従う上側プレス・テーブル14a上に取付けられた表示デバイス12"を備えた図１の代表的なプレスブレーキ10の斜視図を示している。更に、情報の範囲を、成形工具の取付け位置の情報に制限する上で、表示デバイス12"の高さは、該デバイス12"が各締着ビーム16のいずれかの上に配置され得る如き程度まで、減少され得る。その目的の為に、図１１Ｂは、本発明の幾つかの実施形態に従い、上側締着ビーム16a上に取付けられた表示デバイス12"を備えた図１の代表的なプレスブレーキ10の斜視図を示している。代替的に、図１０Ａから図１０Ｃを参照すると、一定の実施形態において、表示デバイス12"は同様に、一つ以上の締着ビーム16の凹所内に収容され得る。
【００３８】
図１を戻り参照すると、一定の実施形態においてプレスブレーキ上側テーブル14aの前面上には、ディスプレイ・タブレット22が配備される。該ディスプレイ・タブレット22は、コンピュータ処理ユニットであり、一定の実施形態においては、公知の市販の任意のコンピュータ処理タブレットを包含し得る。斯かるタブレットの例としては、アップルのIPad、サムスンのGalaxy、エイサーのIconia、アマゾンのKindle、グーグルのNexusなどが挙げられる。理解されるべく、ディスプレイ・タブレット22は、表示デバイス12の特性と同様な一定の特性を有する。例えば、ディスプレイ・タブレット22は、例えば、表示デバイス12のそれよりも相当に小さい奥行を可能的に有するなどの様に、サイズが非常にコンパクトである。図２を参照すると、一定の実施形態において、タブレット22は、表示デバイス12の奥行の1/2よりも小さい奥行を有する。更に、図１を参照すると、タブレット22は、一定の実施形態において、表示デバイス12の任意のディスプレイ24よりも大きなサイズの画面を含む。
【００３９】
上述の特性が与えられたなら、ディスプレイ・タブレット22は、所望に応じてプレスブレーキ10上で使用及び位置決めされ得る。例えば、図１に示された如く、ディスプレイ・タブレット22は、表示デバイス12の上方にて、プレスブレーキの上側ビーム14a上の中央に位置決めされ得る。その目的の為に、ディスプレイ・タブレット22は、表示デバイス12と組み合わせて使用され得る。例えば、一定の実施形態において、ディスプレイ・タブレット22は、表示デバイス12の各ディスプレイ24の内の任意のもののパラメータを選択的に示すべく使用され得る。斯かるパラメータは、プレスブレーキ10に対してプログラムされた動作、及び、表示デバイス12に対する制御特性に関する上述の詳細の内の任意のものを含み得る。結果として、表示デバイス12の各ディスプレイ24は、各締着ビーム16、及び、その上に締着されるべき成形工具18に関する特性を示すべく調整され得る。但し、本発明はその様なものに限定されるべきでない。例えば、ディスプレイ・タブレット22は、プレスブレーキ10，表示デバイス12、各プレス・テーブル14(及びその締着ビーム16)、及び、成形工具18の内の任意のもののパラメータを示すべく使用され得る。図１９において例証される如く、一つの斯かる応用例において、タブレット22は、表示デバイス12の各ディスプレイ24とは対照的に相当に詳細に(故に更に強化されて)示され得る(例えば輪郭形状などの)工具パラメータを示すべく使用され得る。ディスプレイ・タブレット22の特に有用な一つの特徴は、操作者が、タブレット22を担持して該タブレットから作業し乍らプレスブレーキ10の回りの任意の箇所にて作業し得る如き、その携帯性である。これに関しては、後時に更に記述される。
【００４０】
この時点まで、具現された表示デバイス12により呈示され(且つ、操作者に対して伝達され)ると記述された情報は、静的であると考えられ得ることから、その情報は、(必要に応じて、幾つかの場合に)デバイス12に次続的に示されるべく、それに対して提供されることを意味している。当業者であれば理解し得る様に、プレスブレーキの操作者によれば典型的に、プレスブレーキ10を制御し且つそれに対する曲げ動作を選択するために、(例えば、PC、または、他の同様のコンピュータ・システムなどの)操作卓が使用される。概略的に、上記操作卓は、依然として変形領域から遠隔的に位置されて、プレスブレーキ10に対してハード結線される。図１２は、図１の代表的なプレスブレーキ10及び代表的な操作卓36を示す本発明の幾つかの実施形態に従う斯かる代表的なプレスブレーキ作業領域34を示している。表示デバイス12は、一定の実施形態において、上述された如く、操作卓36を介して選択されたプレスブレーキ動作に関する静的情報を操作者に対して提供する“補足的な”デバイスとして機能すべく構成され得る。斯かる場合において、操作卓36は、表示デバイス12及びプレスブレーキ10の両方に対して情報を伝えるべく構成される。理解されるべく、ディスプレイ・タブレット22は、表示デバイス12及び操作卓36の一つ以上から情報を受信すべく構成され得る。
【００４１】
表示デバイス12に対する操作卓36からの通信は、該操作卓36がバー12に対してハード結線された結果であり得る。但し、一定の実施形態において、表示デバイス12は、操作卓36から無線様式38で通信を受信すべく構成される。上述された如く、ディスプレイ・タブレット22は、斯かる無線通信38に対し、表示デバイス12と同様に構成される。無線設計態様は、当業界で公知である。例えば、表示デバイス12は、ワイファイ(WiFi)、ブルートゥース(Bluetooth(登録商標）)、または、他の無線プロトコルにより機能する一つ以上の習用の受信機または送受信機、及び、対応する電子機器を備え得る。理解されるべく、且つ、図５を参照すると、表示デバイス12により無線で受信された電気信号は(例えば、デバイス12の内部で)処理され、且つ、それに対して通信された情報は、上述された如く同期された各ディスプレイ24の結果として、デバイス12の各ディスプレイ24に対して夫々経路設定される。表示デバイス12を操作卓36と通信し得るべく構成する上での更なる基礎となる条件は、デバイス12の制御システムが、操作卓36の制御システムと関連付けられるべく適切に構成されることである。この関連付けは概略的に、デバイス12及び操作卓36の夫々のオペレーティング・システム及び処理プロトコルが整合されることである。新たな機械設計態様の用途において、この関連付けは、始めから既知である各制御システムの設定パラメータの故に、更に容易なプロセスを包含し得る。但し、既存の機械設計態様用途に対し、上記操作卓の制御システムは、表示デバイスの制御システムが設計かつプログラムされ得る様に、予め決定される必要がある。
【００４２】
上記にて言及された如く、表示デバイス12は、プレスブレーキ10に対してプログラムされた動作、及び、該デバイス12に対する制御特性に関する複数種の情報を提供すべく構成され得る。但し、(特に、図５に示された代表的なセグメント20に鑑みて)理解されるべく、各ディスプレイ24上に呈示された(例えば、締着ビーム表現物16a'、16b'及び工具表現物18a'、18b'などの)情報は、画面スペースの大部分を既に使用している。故に、一定の実施形態において、表示デバイス12は、“インタフェース”デバイスとして機能する様にも構成され得る。上述された如く、プレスブレーキ10に対してプログラムされた動作及び表示デバイス12の制御特性に関する情報は、所望に応じてアクセス(且つ、更にまたは代替的に、各ディスプレイ24により呈示され)得る。一定の実施形態において、斯かる情報は、各ディスプレイ24とインタフェースするユーザを介して検索される。その目的の為に、斯かる情報は操作者により、所望に応じて、各ディスプレイ24からディスプレイ・タブレット22へと移行され得る。
【００４３】
e-インク、LED、LCD、または、他の同様のディスプレイ形式は、タッチスクリーンの機能性に対して構成され得る。理解されるべく、斯かる機能性は概略的に、プロセッサ主導である。その目的の為に、一定の実施形態において、各ディスプレイ24は、ディスプレイ画面上に(例えば、各指の軽打を介して)瞬間的な圧力を付与する(例えば、各指の量及び／または各指のグループ化により区別された)特定の群の固有の指接触に対して変化する抵抗性もしくは容量性の応答を生成すべく構成され得る。(内部プロセッサを通して実行されたときに)各々の特定の抵抗性もしくは容量性の応答は、プログラムされたプレスブレーキ動作または表示デバイス10に対する制御特性に関する個別的情報であって、(内部の記憶装置から)検索されてディスプレイ24上に呈示されるという情報に帰着する。例えば、図１８Ｂに示された如く、特定のディスプレイ24を軽打もしくは強打すると、機械制御パラメータを示すポップアップ画面の呈示に帰着し得る。代替的に、図１８Ａに示された如く、特定のディスプレイ24上での工具表現物18a'または18b'を軽打もしくは強打すると、対応する工具18に関する更なる詳細情報を示すポップアップ画面の呈示に帰着し得る。上述された如く、一定の実施形態において、斯かる指接触は、ディスプレイ24の空き領域32において為され得る。対応して検索された情報は、ディスプレイ24の少なくとも一部分上に呈示され、且つ、一定の実施形態において該情報は、依然として締着ビーム表現物16a'、16b'及び工具表現物18a'、18b'が少なくとも部分的に示されるという様式で、呈示される。一定の場合、ディスプレイ画面上に為される(一本以上の指による一回以上の軽打または強打の如き)更なる独特の指接触の結果として、検索された情報は、サイズが拡大／縮小され、画面上の異なる箇所へと移動され得るか、または、該情報は、ディスプレイ24が締着ビーム表現物16a'、16b'及び工具表現物18a'、18b'のみの呈示に戻り得る様に、(閉じられ、または、ディスプレイ・タブレット22上で示されるべく移行される、のいずれかにて)該情報の全体が除去され得る。
【００４４】
図１２を戻り参照すると、操作卓36はプレスブレーキ10の傍らでスタンド40上に位置されて示されるが、それは好適には、プレスブレーキ10から突出する延長部により支持され得る。それにも関わらず、操作卓36は概略的に、該操作卓36の概略的なサイズと、プレスブレーキ10上において斯かる操作卓36を収容するための領域の欠如との故に、プレスブレーキ10から(例えば、その側部に対して離して)離間して位置決めされる。プレスブレーキ10に関する操作卓36の斯かる配置箇所の結果として、操作者は、プレスブレーキ10に対する作業領域34を監視して、変形動作に先立ち且つその間において該領域が空いていることを確認し得る。但し、操作卓36をプレスブレーキ10から離間して維持すると、操作者は、プレスブレーキの動作に対するパラメータをチェックまたは確認するために操作卓36とプレス・テーブル14もしくは締着ビーム16との間で複数回の移動を行うことも必然とされる。
【００４５】
(変形動作が更に時宜を得た様式で実施され得る如く)操作卓36にて費やされる時間を短縮するために、表示デバイス12及び／またはディスプレイ・タブレット22は、操作卓36が習用的に伝達すべく依存する情報を提供すべく構成され得る。既に記述された幾つかの例としては、プレスブレーキ10、表示デバイス12、締着ビーム16、及び、使用されるべき成形工具18に関する一つ以上の特性に関する静的情報が挙げられる。この情報は付加的に、チェックリスト、一定のパラメータを確認するプロンプト、次の処理段階に対する指示／案内などを含み得る。その目的の為に、表示デバイス12及び／またはディスプレイ・タブレット24が更に多くの情報を提供すべく構成されるほど、プレスブレーキ10において費やされる時間は更に効率的となり得る。例えば、一定の実施形態において、変形動作のパラメータが操作卓36を介して一旦設定されたなら、ディスプレイ・タブレット22は引き続き、操作卓36がその後に概略的に伝達のために依存する情報を伝達すべく使用され得る。故に、一定の実施形態において、操作者は、最初はプレスブレーキ動作を設定するために操作卓36を使用してから、その後の時間の大部分を、上記動作を実施するためにプレス・テーブル14にて費やし得る。その目的の為に、ディスプレイ・タブレット22が操作卓36に成り代わり得るというアプリケーションが在ることを理解すべきである。
【００４６】
一定の実施形態において、表示デバイス12は、上述された如き“補足的”及び／または“インタフェース”デバイスのそれを超える機能性を有すべく構成される。例えば、一定の実施形態において、表示デバイス12は更に、その各ディスプレイ24上に示されたものに関する“対話的”デバイスとして機能すべく構成され得る。その目的の為に、具現された表示デバイス12により呈示され(且つ操作者に対して伝達され)た情報は(上記に例証された如く)静的であり得るが、一定の外部的合図の場合、呈示された情報は、必要に応じて変更され得る。一定の実施形態において、上記外部的合図は、操作者に起因し得る。例えば、外部的合図は、操作者の複数の動作の内の任意のものを包含し得る。上述された如く、斯かる一つの動作としては、一回以上の指接触による各ディスプレイ24の内の一つの画面に対する操作者の接触が挙げられ、斯かる場合にのみ、各ディスプレイ24の夫々の画面に対する更なる指接触(軽打及び／または強打)が、ディスプレイ上に呈示された情報の幾つかに対する対応変化をトリガし得る。
【００４７】
一定の実施形態において、ディスプレイ24上に為された変更の画面内容は、(例えば、付加、除去または修正された)テキスト、及び／または、(例えば、一つの色から別の色へ、または、単に更に明るいもしくは暗い陰影への変化などの)色に関して表され得る。これにより、その変更は、高度に視認可能とされるだけでなく、変更されなかったディスプレイ24の他の部分からの明確な区別体の役割も果たすことが許容される。例えば、図１６Ａ及び図１６Ｂの代表的なディスプレイ画面描写を参照すると、締着ビーム16a、16bの状況は、常に対応テキストを介して示される。但し、プレスブレーキ10により安全な変形動作を実施するためには、締着状況が重要であることから、一定の実施形態においては、締着ビーム16a、16bの異なる状況(すなわち、締着済みまたは非締着)も、色を介して表され得る。起動された(または締着された)状況は、２つの締着状況の内、更に安全な状態である。その故に、(図１６Ａに提供される如き)起動(または締着)状況に対し、表現的な締着ビーム16a'、16b'は、該表現物16a'及び16b'上に重ね合わされた表記テキスト“CLAMPED”と共に、(青色の如き)更に落ち着いた色を有し得る。逆に、(図１６Ｂにおいて提供される如き)非起動(または非締着)状況に対し、表現的な締着ビーム16a'、16b'は、該表現物16a'及び16b'上に重ね合わされた表記テキスト“UNCLAMPED”と共に、(赤色の如き)非常に激しい(高度に目立つ)色を有し得る。
【００４８】
一定の実施形態において、各テーブル14の締着ビーム16に関する斯かる状況は、ディスプレイ24上の締着ビーム表現物16a'、16b'を操作者が軽打することで変更され得る。理解される様に、一つのディスプレイ24上の斯かる締着状況の変更時に、テーブル14の対応する広がりのクランプ16が、その様に起動される。これの更なる内容は、以下に記述される。但し、この時点において、(指による強打の如き)他の指接触の変更例が好適に使用され得ることを理解すべきである。更に、本発明は、ディスプレイ24の画面に対する物理的接触を伴う操作者の外部的合図に限定されるべきでない。例えば、表示デバイス12及び各ディスプレイ24が、聴覚的合図を処理(し、それにより解読)する対応電子機器を備えて構成されると共に、静的情報に対する所望の変更をトリガすべくプログラムされるなら、(表示デバイス12上に位置されたスピーカ21により捕捉される)操作者からの聴覚的合図は好適に、斯かる変更に対するトリガを提供し得る。別の例としては、(表示デバイス12から遠隔的に位置されるが、該デバイス12と無線通信すべく構成されたカメラ44により捕捉される)操作者からの物理的合図(すなわち、操作者の身体上に位置された操作者の両手の一つ以上の仕草の如き、物理的な運動)が挙げられる。
【００４９】
上記で言及された如く、プレスブレーキ10、表示デバイス12、各テーブル14(または、その上のクランプ16)、及び、成形工具18の内の一つ以上に関する特性に対して表示デバイス12において変更が為されるとすると、対応する装置(または、その一部)に対する実際の変更は、必然とされ得る。上記に提供された例に続くと、もし、各テーブル14の広がりにわたる各クランプ16のいずれかの状況がUNCLAMPEDからCLAMPEDへと変更されたなら、表示デバイス12は、そのことを、操作卓36，プレスブレーキ10、または、これを行う別体的な締着制御器に対して通信せねばならない。例えば、その変更が、変形動作を一時的にのみ停止させ(その後、動作は再開され)るという場合、斯かる通信はプレスブレーキ10に対してのみ向けられ得る。しかし、その変更が、現在においてまたは次続的にプログラムされる変形動作に対して改変が為されることを示唆するなら、斯かる通信は、プレスブレーキ10及び操作卓36の一つ以上に対して向けられ得る。
【００５０】
斯かる通信は、表示デバイス12をプレスブレーキ10及び操作卓36の両方に対してハード結線することにより可能とされ得ることを理解すべきである。但し、一定の実施形態において、表示デバイス12は無線様式38'にて、操作卓36及び／またはプレスブレーキ10から通信を受け且つそれに対して通信を送るべく構成される。無線設計態様は、業界公知であると共に、表示デバイス12に対する一方向通信に関して上記で既に簡潔に記述されている。此処では、これらの同一の教示が等しく適用される。但し、双方向無線通信の場合、表示デバイス12は、一個以上の習用の送受信機、及び、ワイファイ(Wi-Fi)、ブルートゥース(Bluetooth（登録商標）)または他の無線プロトコルにより機能する対応電子機器を備え得る。理解されるべく、且つ、図５を参照すると、各ディスプレイ24の内の任意のものに関して為された変更は、(例えば、表示デバイス12の内部で)最初に処理され、次に、必要に応じて、該表示デバイス12からの電子信号を介して操作卓36に対して無線送信される。その目的の為に、表示デバイス12は、呈示目的で操作卓36から静的情報を受信する機能を備え得ると共に、該デバイス12に対してその各ディスプレイ24において為された一切の変更は、操作卓36及び／またはプレスブレーキ10に対して送信され得る。これに加え、無線通信は基本的に表示デバイス12及び操作卓36に関して論じられるが、表示デバイス12は好適には、他の給電された補機と通信すべく構成される。
【００５１】
上述された如く、“対話的”デバイスとして更に機能すべく構成されたとき、表示デバイス12は、一定の外部的合図の受信時に、呈示されている静的情報を変更し得る。斯かる外部的合図は、上述された如く操作者に起因し得る。但し、本発明はその様に限定されるべきでない。特に、表示デバイス12が信号を受信及び送信すべく構成される場合、該デバイス12は、代替的な形式の外部的合図を表す信号を受信し得る。
【００５２】
表示デバイス12により受信される(と共に、斯かる外部的合図を表す)斯かる信号の一例は、各締着ビーム16上に位置された成形工具18の一つ以上に由来し得る。図１３は、本発明の幾つかの実施形態に従う代表的なパンチ工具18aの斜視図を示している。示された如き一定の実施形態において、斯かる工具18aは、その外側面上に情報タグ42を有している。タグ42はQRコードとして例示的に示されるが、工具18aは代替的に、工具の情報(例えば、工具IDなど)であって、斯かる工具情報を評価するために照会されるべく適合化されたという情報の供給源を提供するバーコード、RFIDタグ、または、他の同様の工具識別手段を有し得る。斯かる電子的情報記憶デバイスを備えて構成される工具類は、業界公知であると共に、例えば、本出願人の“情報記憶デバイスを備えた機械工具カートリッジ、スマート記憶システム、及び、スマート・カートリッジ・システムを使用する方法”と称された米国特許第7,913,533号に記述されており、その教示は、関連部分において本明細書中に援用される。その無線の機能性及び送信の能力が与えられたなら、表示デバイス12は、一定の実施形態において、斯かる工具18aを照会し得、対応する工具情報が該表示デバイス12により確認される。更に、デバイス12の各ディスプレイ24が同期される結果として、斯かる工具18aの情報は、斯かる情報を対応して呈示するために、デバイス12の夫々のディスプレイ24へと向けられ得る。
【００５３】
表示デバイス12により照会されて夫々のディスプレイ24に向けられる工具情報は、複数の情報の内の任意のものを含み得る。例えば、既に記述された如く、この情報は、(おそらくは図５から最適に視認される)部品番号30、部品寸法、及び、部品製造者の内の一つ以上を含み得る。一定の実施形態においては、この情報に、部品の配置箇所が更に含まれる。理解されるべく、工具18a上のタグ42としてRFIDタグを用いると、該工具の配置箇所に関して詳細な情報が提供され得る。このパラメータは、各締着ビーム16上の成形工具18の厳密な位置決めが順守される必要があるというプレスブレーキ用途において特に有用である。その目的の為に、工具18aが上側締着ビーム16a上に一旦位置され、且つ、ビーム16a上の該工具18aの配置箇所が不正確であると解釈されたなら、斯かる内容は、対応するディスプレイ24上で操作者へと伝達され得る。一定の実施形態において、(図５に関して上述された如き)工具表現物18a'、18b'は、ディスプレイ24上で変化する(と共に、明確に識別可能である)色方式を使用し、且つ／又は、聴覚的信号、及び／または、必要に応じて複数の異なる言語の内の一つにより音声命令を生成することにより、対応する締着ビームの広がり上で不正確に位置されていることが示され得る。但し、可能的な聴覚的機能に鑑みると、例えば、各工具18の不正確な工具位置を表すためには、工具表現物18a'、18b'は、黒色の輪郭、黒色の背景、及び、白色の文字を以て示される一方、テーブルの広がり上で正しい位置であると照会かつ決定された工具18は、黒色の輪郭、白色の背景、及び、黒色の文字を備えるそれらの工具表現物18a'、18b'により示される。但し、不正確に位置された工具18の区別は、多様な代替的様式の内の任意の様式で、ディスプレイ24上に呈示され得ることを理解すべきである。
【００５４】
上記に続き、各クランプ16が起動されていない(すなわち非締着状況を有している)、または、成形工具14がクランプ上に適切に配置されていない場合、対応するクランプ及び工具の表現物16a'、16b'及び18a'、18b'に関するテキスト及び／または色が、操作者に対するインディケータとして使用され得ることが記述されてきた。テキスト及び色の両方を使用することは、表示デバイス12のディスプレイ24上での明確な区別体であると見做され得るが、もし、各ディスプレイ24に対して適切な注意が払われなければ、これらの不適切さを見逃す可能性がある。これに対処するために、一定の実施形態において、表示デバイス12により、変形動作に関する何らかの不適切さが見出されたとき、該デバイス12は、操作者に信号通知すべく聴覚的警報を提供すべく構成され得る。この機能性は、表示デバイス12が、該デバイス12による不適切さの発見によりトリガされる対応する聴覚的電子機器を備えて構成されることを必然とする。当業者であれば、必要とされる聴覚的電子機器及び要求される設定を理解し得よう、と言うのも、それらは業界公知だからである。更に、表示デバイス12は、そのコンパクトなサイズを以てしても、斯かる電子機器を収容し得る。
【００５５】
表示デバイス12により受信され(且つ斯かる外部的合図を表す)斯かる信号の他の例は、一台以上の小型の2Dまたは3Dカメラに由来し得る。例えば、一定の実施形態において、斯かるカメラ44は、図１４Ａ及び図１４Ｂに例示的に示された如く(例えば、取付けられた各工具の配置箇所をチェックするなどして、変形動作を開始する条件が満足されることを確認すべく)プレスブレーキ10の近傍または直上に、且つ／又は、図１２に例示的に示された如く(変形動作が実施されるに先立ち他の動作が観測されないことを確認すべく)プレスブレーキ作業領域34の回りの一つ以上の箇所に、位置され得る。その無線の機能性及び送信の能力が与えられたなら、表示デバイス12は、一定の実施形態において、斯かるカメラ44から信号を受信して斯かる環境を監視すると共に、所望に応じて、各カメラ44の方向変換のために、それらに対して信号を送信し得る。
【００５６】
図１５は、本発明の幾つかの実施形態に従う表示デバイス12(または12')を用いる方法の各ステップのフローチャートである。該方法は、複数回の曲げシーケンスを伴う曲げ動作の間における表示デバイス12に対する各ステップを記述するものであり、斯かるステップは可能的には、図５及び／または図１７Ａから図１７Ｃを参照することで更に明確に理解される。その目的の為に、曲げシーケンスに対する各ステップは、(図５の表示デバイス12による如き)表示デバイス12の複数個のディスプレイ24、または、(図１０の表示デバイス12による如き)表示デバイス12の単一のディスプレイ24を伴い得る。操作卓36を介して表示デバイス12に対して変形プログラムが送信されると同時に、ステップ50は、デバイス12の対応する単一もしくは複数のディスプレイ24が、自身上に対応する工具設定を呈示する段階を含む。この工具設定は、呈示された締着ビームの表現物16a'、16b'の対応する広がり上における工具表現物18a'、18b'の適切な位置においてディスプレイ24上に示される該工具表現物を介して提供される。上述された如く、(複数のディスプレイ24にわたり締着ビーム表現物16a'、16b'及び成形工具表現物18a'、18b'が示される)図５、及び、(単一のディスプレイ24上に締着ビーム及び成形工具の表現物が示される)図１７Ａから図１７Ｃが参照され得る。工具18(パンチ18a及びダイ18b)が、単一もしくは複数のディスプレイ24を案内物として使用する操作者により締着ビーム16上に対応して一旦位置決めされたなら、選択的なステップ52は、(図１３に関して上述されたRFIDタグの如き)タグ42を有する各工具18を使用するものとして(または、図１４Ａ及び図１４Ｂに関して記述されたカメラ44を利用して)該工具18の位置を確認する段階を包含し得る。斯かる選択的なステップは、一定の実施形態において、単一もしくは複数のディスプレイ24またはディスプレイ・タブレット22上に伝達されて変形動作が開始され得ることを示す一定の“準備完了”メッセージを更に含み得る。
【００５７】
ステップ54は、ディスプレイ24が、当該第1変形シーケンスに対する対応工具表現物18a'、18b'を(更に濃い色あいを以て)強調された形態で呈示し、他の工具表現物18a'、18b'は(更に薄い色あいを以て)控えめな形態で呈示されるという、(図１７Ａのディスプレイ画面描写により例示的に表される)第1変形シーケンスの開始が待ち行列化される段階を包含する。(第1変形シーケンスに続く)ステップ56においては、第2変形シーケンスの開始が待ち行列化される。斯かるステップは、(図１７Ｂのディスプレイ画面描写により例示的に表される如く)ディスプレイ24が、控えめな形態へと既に変更された第1変形シーケンスの工具表現物18a'、18b'と、強調された形態へと既に変更された第2変形シーケンスの工具表現物18a'、18b'とを示す段階を包含する。斯かる一連の控えめな及び強調された工具表現物18a'、18b'(すなわち、ステップ56と同様のステップ)は、プログラムされた曲げ動作が完了するまで継続することを理解すべきである。例えば、図１７Ｃは、当該第3変形シーケンスに対する工具表現物18a'、18b'は強調された形態へと既に変更され且つ第2変形シーケンスに対する工具表現物18a'、18b'は控えめな形態へと既に変更されている、という曲げ動作の例示的な第3の最終的な変形シーケンスを示すディスプレイ24のディスプレイ画面描写を示している。その目的の為に、斯かる曲げ動作に対して所定数の変形シーケンス段階が完了されたとき、プログラムは割当てられた部品の実行が完了するまでステップ54にループ・バックするか、または、操作者がプログラムを終了させる。
【００５８】
故に、パンチ成形及びプレス成形機械のための表示デバイスの実施形態が開示された。当業者であれば、本発明は、開示された以外の実施形態により実施され得ることを理解し得よう。開示された各実施形態は、限定ではなく例示の目的で呈示されており、本発明は、追随する各請求項によってのみ限定される。
本開示は以下を含む。
［構成１］
一個以上のディスプレイを備える、プレスブレーキ用の表示デバイスであって、
前記一個以上のディスプレイは、プレスブレーキの前面上への選択的な位置決め及び取付けに対して構成され、
前記一個以上のディスプレイは、前記プレスブレーキの上側及び下側のテーブルの広がりと長さが同様である広がりを有し、
前記一個以上のディスプレイは、前記上側及び下側のテーブルのいずれかの奥行より少なくとも1/4だけ小さい奥行を有する、
表示デバイス。
［構成２］
前記一個以上のディスプレイは、当該表示デバイスの奥行に等しい奥行を有する、構成１に記載の表示デバイス。
［構成３］
前記一個以上のディスプレイは、前記上側及び下側のテーブルのいずれかの奥行より少なくとも1/2だけ小さい奥行を有する、構成１に記載の表示デバイス。
［構成４］
前記一個以上のディスプレイは、当該表示デバイスが前記プレスブレーキの上側及び下側のテーブルの一方内に完全に収容されることを許容する奥行を有する、構成１に記載の表示デバイス。
［構成５］
前記一個以上のディスプレイは、当該表示デバイスが前記プレスブレーキの上側または下側の締着ビームのいずれか内に完全に収容されることを許容する奥行を有する、構成１に記載の表示デバイス。
［構成６］
前記一個以上のディスプレイは、前記プレスブレーキの上側または下側の締着ビームのいずれかの高さ以下の高さを有する、構成１に記載の表示デバイス。
［構成７］
前記一個以上のディスプレイは、タッチスクリーンの機能性を有する電子インク・ディスプレイ形式を備える、構成１に記載の表示デバイス。
［構成８］
前記一個以上のディスプレイの前側部分は当該表示デバイスの前側部分を画成し、
当該表示デバイスの前記前側部分は、前記プレスブレーキに対する該デバイスの取付け時に、前記プレスブレーキの前面から離間して配向される、構成１に記載の表示デバイス。
［構成９］
前記一個以上のディスプレイは一個以上のセグメント内に収容され、
前記一個以上のアセンブリ及びその内部に収容された前記一個以上のディスプレイは、アセンブリを形成する、構成１に記載の表示デバイス。
［構成１０］
前記一個以上のセグメントは、Ｃ形状チャネルを備える、構成９に記載の表示デバイス。
［構成１１］
前記一個以上のセグメントは、複数のセグメントを備え、
前記一個以上のディスプレイの内の少なくとも一個のディスプレイは、前記セグメントの各々内に収容され、
前記複数のセグメントは、端部同士を接した様式で結合されてモジュール式アセンブリを形成する、構成７に記載の表示デバイス。
［構成１２］
前記各セグメントは、長さが約30.5cm (12インチ）〜約121.9cm (48インチ）である、構成１１に記載の表示デバイス。
［構成１３］
前記各ディスプレイは、長さが約30.5cm (12インチ）〜約50.8cm (20インチ）である、構成１２に記載の表示デバイス。
［構成１４］
前記一個以上のディスプレイは複数のディスプレイを備え、
各ディスプレイは端部同士を接した様式で結合される、構成１に記載の表示デバイス。
［構成１５］
前記上側及び下側のテーブル上の各締着ビームの広がりであって、各ビームに対する前記各ディスプレイの位置に対応するという広がりを、集合的に呈するために、該各ディスプレイは、電気的に関連付けられ且つ同期され得る、構成１４に記載の表示デバイス。
［構成１６］
複数個のディスプレイを備える、プレスブレーキ用の表示デバイスであって、
前記各ディスプレイは、端部同士を接した様式で結合されると共に、前記プレスブレーキの上側及び下側のテーブルの広がりと長さが同様である広がりを有し、
各ディスプレイは、前記上側及び下側のテーブル上の各締着ビームの広がりであって、各ビームに対する当該各ディスプレイの位置に対応するという広がりを、集合的に呈するために、電気的に関連付けられ且つ同期され得る、
表示デバイス。
［構成１７］
前記各ディスプレイは、前記上側及び下側のテーブルのいずれかの奥行より少なくとも1/2だけ小さい奥行を有する、構成１６に記載の表示デバイス。
［構成１８］
前記一個以上のディスプレイは一個以上のセグメント内に収容され、
前記一個以上のアセンブリ及びその内部に収容された前記一個以上のディスプレイは、アセンブリを形成する、構成１６に記載の表示デバイス。
［構成１９］
前記一個以上のセグメントは、複数のセグメントを備え、
前記一個以上のディスプレイの内の少なくとも一個のディスプレイは、前記セグメントの各々内に収容され、
前記複数のセグメントは、端部同士を接した様式で結合されてモジュール式アセンブリを形成する、構成１８に記載の表示デバイス。
［構成２０］
前記各ディスプレイは、前記プレスブレーキの前記上側及び下側の締着ビームと、それらの上に位置決めされるべき成形工具とに関する情報を呈示すべく構成され、
前記情報は、前記各ビーム及び各工具に対する量的及び質的な情報を備える、構成１６に記載の表示デバイス。
［構成２１］
前記各締着ビーム及び前記各成形工具の前記質的情報は、各々の対応表現物を備える、構成２０に記載の表示デバイス。
［構成２２］
前記上側及び下側の締着ビームの前記質的情報は、それらの締着状況を備える、構成２１に記載の表示デバイス。
［構成２３］
前記各成形工具の前記質的情報は、部品番号及び部品製造者を更に備える、構成２１に記載の表示デバイス。
［構成２４］
前記上側及び下側の締着ビーム及び前記各成形工具の前記量的情報は、前記上側及び下側の締着ビーム及び前記各成形工具の前記表現物上に対応して重ね合わされる、構成２０に記載の表示デバイス。
［構成２５］
前記上側及び下側の締着ビーム及び前記各成形工具の前記量的情報は、それらの寸法と、前記上側及び下側の締着ビーム上の前記各成形工具に対する適切な位置とを備える、構成２０に記載の表示デバイス。
［構成２６］
複数個のディスプレイと複数個のセグメントとを備える、プレスブレーキ用の表示デバイスであって、
前記一個以上のディスプレイの少なくとも一個のディスプレイは、前記セグメントの各々内に収容され、
前記各セグメントは、端部同士を接した様式で結合されると共に、プレスブレーキの上側及び下側のテーブルの広がりと長さが同様である広がりを有し、
結合された各セグメントは、モジュール式アセンブリを形成する、
表示デバイス。
［構成２７］
パンチ成形及びプレス成形機械に対する動作に関する情報を伝達するシステムであって、
パンチ成形またはプレス成形機械と、
前記機械上に選択的に位置決めされて使用されるべく構成された表示デバイスであって、該表示デバイスはタッチスクリーン機能性を有する一個以上のディスプレイを有し、前記一個以上のディスプレイは量的及び質的な情報を呈示すべく構成され、前記量的及び質的な情報は、前記機械及びそれに対する各工具に対してプログラムされた一つ以上の動作を包含する詳細及び特性を備える、という表示デバイスと、
前記各表示デバイスから遠隔的に配置された操作卓であって、前記量的及び質的な情報は該操作卓を介して前記各表示デバイスに対して提供される、という操作卓と、
を備える、システム。
［構成２８］
前記パンチ成形またはプレス成形機械はプレスブレーキを備える、構成２７に記載のシステム。
［構成２９］
前記表示デバイスは、前記操作卓と無線通信すべく構成され、
前記量的及び質的な情報は、前記機械に対して前記操作卓のメモリ内に記憶されたプログラム済み動作に由来する、構成２７に記載のシステム。
［構成３０］
前記操作卓はディスプレイ・タブレットを備え、
前記ディスプレイ・タブレットは、該タブレットが、操作者により容易に担持されること、及び、前記機械上に選択的に取付けて位置決めされること、の内の一つ以上を可能とするサイズである、構成２７に記載のシステム。
［構成３１］
前記機械及びそれのための工具類に対する前記一つ以上のプログラム済み動作に関する付加的情報は、前記各ディスプレイの内の一つ以上のディスプレイの画面上で為され対応指接触を介してアクセスされ得る、構成２７に記載のシステム。
［構成３２］
前記機械及び工具類に対する前記一つ以上のプログラム済み動作は変更可能であり、
斯かる変更は、一つ以上の外部的合図を介してトリガされる、構成２７に記載のシステム。
［構成３３］
前記外部的合図は操作者に由来する、構成３２に記載のシステム。
［構成３４］
前記外部的合図は、前記各ディスプレイの内の一つ以上のディスプレイに対して為される指接触を備える、構成３３に記載のシステム。
［構成３５］
前記外部的合図は、前記工具の内の一つ以上の工具に由来する、構成３２に記載のシステム。
［構成３６］
前記外部的合図は、前記各工具上に配備された電子的情報記憶デバイスに由来する、構成３５に記載のシステム。
［構成３７］
前記外部的合図は、一台以上の３Ｄカメラに由来する、構成３２に記載のシステム。
［構成３８］
前記一台以上のカメラは、前記上側及び下側のテーブルの内の一つ以上のテーブルの近傍に取付けられる、構成３７に記載のシステム。
［構成３９］
前記外部的合図は、前記プレスブレーキの変形領域の近傍の不適切さであって、前記各カメラの内の少なくとも一台のカメラにより捕捉されたという不適切さに由来する、構成３８に記載のシステム。
［構成４０］
前記表示デバイスは、一切の不適切さの場合に聴覚的警報を鳴らすべく構成される、構成３９に記載のシステム。
［構成４１］
前記一台以上のカメラは、前記プレスブレーキに対する作業領域の周縁部に沿う箇所に取付けられる、構成３６に記載のシステム。
［構成４２］
前記外部的合図は、前記各カメラの内の少なくとも一台のカメラにより捕捉された操作者の指の仕草に由来する、構成４１に記載のシステム。
［構成４３］
複数の変形動作を包含する曲げ動作の間におけるプレスブレーキの表示デバイスのための方法であって、
前記表示デバイスの一個以上のディスプレイ上に工具設定を呈示する段階であって、前記工具設定は前記表示デバイスにより受信された特定の曲げプログラムに対応し、前記呈示された工具設定は、前記プレスブレーキの上側及び下側のテーブルと、前記曲げプログラムのために前記各テーブル上で使用されるべき成形工具とに対する量的及び質的な情報を備え、前記質的情報は前記上側及び下側のテーブル及び前記成形工具の対応表現物を備え、前記量的情報は前記上側及び下側のテーブル上の前記各工具の適切な位置を備える、という段階と、
第1被加工材に対する前記特定の曲げプログラムの第1変形動作に対し、該第1変形動作に関連付けられた前記工具表現物を強調し、且つ、前記第1変形動作に関連付けられない工具表現物を強調解除する段階と、
第2被加工材に対する前記特定の曲げプログラムの第2変形動作に対し、前記第1変形動作に関連付けられた工具表現物を強調解除し、且つ、該第2変形動作に関連付けられた工具表現物を強調する段階と、
前記第1被加工材に対する前記特定の曲げプログラムの一切の更なる変形動作に対し、第2変形動作に関する強調解除段階及び強調段階を反復する段階と、
前記曲げプログラムに関して為される一切の更なる被加工材に対する前記第1変形動作、第2変形動作、及び、該当するなら、更なる単一もしくは複数の変形動作に関し、前記強調段階及び強調解除段階を反復する段階と、
を有する、方法。
【図１】
0006325563.tif 000002
【図２】
0006325563.tif 000003
【図３Ａ】
0006325563.tif 000004
【図３Ｂ】
0006325563.tif 000005
【図４】
0006325563.tif 000006
【図４Ａ】
0006325563.tif 000007
【図４Ｂ】
0006325563.tif 000008
【図５】
0006325563.tif 000009
【図６】
0006325563.tif 000010
【図７Ａ】
0006325563.tif 000011
【図７Ｂ】
0006325563.tif 000012
【図７Ｃ】
0006325563.tif 000013
【図８】
0006325563.tif 000014
【図９Ａ】
0006325563.tif 000015
【図９Ｂ】
0006325563.tif 000016
【図９Ｃ】
0006325563.tif 000017
【図１０Ａ】
0006325563.tif 000018
【図１０Ｂ】
0006325563.tif 000019
【図１０Ｃ】
0006325563.tif 000020
【図１１Ａ】
0006325563.tif 000021
【図１１Ｂ】
0006325563.tif 000022
【図１２】
0006325563.tif 000023
【図１３】
0006325563.tif 000024
【図１４Ａ】
0006325563.tif 000025
【図１４Ｂ】
0006325563.tif 000026
【図１５】
0006325563.tif 000027
【図１６Ａ】
0006325563.tif 000028
【図１６Ｂ】
0006325563.tif 000029
【図１７Ａ】
0006325563.tif 000030
【図１７Ｂ】
0006325563.tif 000031
【図１７Ｃ】
0006325563.tif 000032
【図１８Ａ】
0006325563.tif 000033
【図１８Ｂ】
0006325563.tif 000034
【図１９】
0006325563.tif 000035